(57)【要約】【課題】摩擦係数が高く、Ｖ字状に拡開した溝部を有する集塵部の清掃面により床面を摺動することで、毛髪等を含む塵埃を寄せ集める。【解決手段】可撓性を有する直方体状の集塵部１０と、この集塵部１０を保持する保持部２０とから構成されている。集塵部１０は床面と接触する下面の清掃面１１を長手方向の軸に沿ってかまぼこ状の円弧状に湾曲させた状態で、集塵部１０の長手方向と平行である左右の長側面１２を保持部２０に挟み込み、側面部２２から内側方向に略直角方向に延在し、鋸歯状に形成した係止歯部により固定されている。集塵部１０を保持部２０に湾曲させて固定することで、切込部１４は拡がり、断面Ｖ字状の溝状となり、切込部１４の両辺には角辺部１５が形成され、これらの角辺部１５を床面に擦り付けることで塵埃を寄せ集めることができる。【選択図】図４
2015205140.tif 000002
【特許請求の範囲】
【請求項１】
可撓性を有する直方体状のゴムスポンジ体の合成樹脂材から成り、清掃面に厚み方向に向けて複数の切込部を平行に形成した集塵部から成ることを特徴とする面清掃具。
【請求項２】
前記切込部と平行な側面に対して斜めに延在する斜側面と、該斜側面を含む略三角形の部分から成る三角形状部分とを有することを特徴とする請求項１に記載の面清掃具。
【請求項３】
可撓性を有する直方体状のゴムスポンジ体の合成樹脂材から成り、清掃面に厚み方向に向けて複数の切込部を平行に形成した集塵部と、該集塵部を保持する保持部とから成る面清掃具であって、
前記保持部は前記集塵部の清掃面を外側に湾曲させ、前記切込みを拡開した状態で前記集塵部の左右両側を挟み込んで固定することで特徴とする面清掃具。
【請求項４】
前記保持部は前記集塵部の背面に当接し、円弧状に湾曲した主面部を有することを特徴とする請求項３に記載の面清掃具。
【請求項５】
前記保持部は前記主面部と、該主面部の両辺から略直角方向に折曲して延在する側面部と、該側面部から内側方向に向けて、鋸歯状に形成した係止歯部とから成り、該係止歯部は前記集塵部の左右両側の側面を噛み込んだ状態で固定することを特徴とする請求項４に記載の面清掃具。
【請求項６】
前記集塵部は前記保持部の係止歯部が噛み込んだ側面に対して斜めに延在する斜側面と、該斜側面を含む略三角形の部分から成る三角形状部分とを有することを特徴とする請求項５に記載の面清掃具。
【発明の詳細な説明】
【技術分野】
【０００１】
本発明は、例えば床面やカーペット等の清掃に適する面清掃具に関するものである。
【背景技術】
【０００２】
特許文献１の段落番号０００４、０００５、図３等には、カーペットの抜け落ちた繊維、ペットの毛や毛髪等の塵埃を除去するために好適なクリーナが開示されている。このクリーナは柄の先端に回転自在に取り付けた清拭ロールを設け、清拭ロールの表面には、巻回した粘着シート又は粘土層等から成る粘着部を取り付けてフローリング、畳、カーペット等の表面に転がすことで、粘着部に塵埃を付着させて掃除を行う。
【先行技術文献】
【特許文献】
【０００３】
【特許文献１】実用新案登録第３０８１５１２号公報
【発明の概要】
【発明が解決しようとする課題】
【０００４】
しかし、この特許文献１に記載のクリーナは、使用に伴って粘着部の粘着力が低下し、ペットの毛や毛髪等が付着し難くなってゆく。特に、カーペット等ではその繊維が一旦付着すると、粘着力の低下が著しいという問題がある。
【０００５】
粘着力が低下した粘着シートは、新しい粘着シートに交換し、使用済みの粘着シートは破棄する。このように粘着シートは使い捨てであり不経済である。また、カーペットの繊維に絡みついた毛髪やペットの毛は、特許文献１のクリーナを用いても、繊維に絡みついているため、十分に除去することができないという問題もある。
【０００６】
また、床面に凹凸部がある場合には、上述のクリーナでは床面と接触する粘着シートは平面状のため、凹部内の塵埃を十分に除去できないという問題もある。
【０００７】
本発明の目的は、上述の課題を解消し、効果的にペットの毛や毛髪等の塵埃を除去でき、繰り返して使用可能な面清掃具を提供することにある。
【課題を解決するための手段】
【０００８】
上記目的を達成するための本発明に係る面清掃具は、可撓性を有する直方体状のゴムスポンジ体の合成樹脂材から成り、清掃面に厚み方向に向けて複数の切込部を平行に形成した集塵部から成ることを特徴とする。
【０００９】
また、本発明に係る面清掃具は、可撓性を有する直方体状のゴムスポンジ体の合成樹脂材から成り、清掃面に厚み方向に向けて複数の切込部を平行に形成した集塵部と、該集塵部を保持する保持部とから成る面清掃具であって、前記保持部は前記集塵部の清掃面を外側に湾曲させ、前記切込みを拡開した状態で前記集塵部の左右両側を挟み込んで固定することで特徴とする。
【発明の効果】
【００１０】
本発明に係る面清掃具によれば、摩擦係数が高い集塵部を床面を擦り付けることで、ペットの毛や毛髪等の塵埃を寄せ集めることが可能であり、清掃作業により集塵部が汚れても、洗浄することで繰り返して使用できる。
【００１１】
また、集塵部に切欠部による複数の角辺部を設けることで、ペットの毛等の塵埃が角辺部に引っ掛かり易くなり、より多くの塵埃に対応することができる。凹凸部を有するカーペット等の床面に対しても、角辺部が凹部内に入り込み、凹部内の塵埃を掃き出すことが可能である。
【００１２】
更に、集塵部に保持部を取り付けたり、集塵部を直接把持することにより、手の平で面清掃具を掴むことが可能であり、掴んだ状態で床面等に擦り付けることができる。これにより摩擦力が増し、多くの塵埃を集塵部によって寄せ集めることができる。
【図面の簡単な説明】
【００１３】
【図１】実施例の面清掃具の分解斜視図である。
【図２】集塵部の下方から見た斜視図である。
【図３】保持部の斜視図である。
【図４】面清掃具を上方から見た斜視図である。
【図５】下方から見た斜視図である。
【図６】側面の断面図である。
【図７】使用状態の説明図である。
【図８】変形例の集塵部の斜視図である。
【図９】集塵部単体の使用状態の説明図である。
【発明を実施するための形態】
【００１４】
本発明を図示の実施例に基づいて詳細に説明する。
図１は本実施例の面清掃具の分解斜視図であり、可撓性を有する直方体状の集塵部１０と、この集塵部１０を保持する保持部２０とから構成されている。
【００１５】
図２は集塵部１０を下方の清掃面１１側から見た斜視図である。集塵部１０の清掃面１１には、長側面１２と平行であって、一方の短側面１３から他方の短側面１３まで所定の深さで清掃面１１の厚み方向に向けて切込んだ切込部１４が設けられている。
【００１６】
本実施例では、切込部１４は略等間隔で４本設けられているが、適宜に複数の本数を設けることができる。また、切込部１４の切込みの深さは、切込部１４ごとに異なるようにしてもよい。例えば、中心の２本の切込部１４の切込みの深さは両端の切込部１４の切込みの深さよりも深くするようにすることができる。更に、切込部１４は幅を有する溝又は断面三角形状の溝としてもよい。
【００１７】
集塵部１０の材料は、天然ゴム、ウレタンゴム等の摩擦係数が高い硬めのゴムスポンジ体であって、例えばＳＲＩＳ０１０１規格に規定する硬度がアスカーＣ２０〜４０程度のゴムスポンジが適しており、特に硬度が３０程度が好適である。また、このゴムスポンジ体は引き裂き強度が優れた性能を有し、吸水性の低い材質から成っている。
【００１８】
集塵部１０の大きさは、例えば縦１２ｃｍ、横８ｃｍ、厚さ２ｃｍ程度であり、後述する保持部２０の大きさに応じて適宜のサイズを採用することが好ましい。また、切込部１４の切込みの深さは例えば５ｍｍ程度であり、湾曲した際に亀裂から集塵部１０が分裂しない範囲内で、かつ集塵部１０の厚みに応じた範囲内で適宜に設定することができる。
【００１９】
図３は保持部２０を裏返した状態の斜視図であり、保持部２０は硬質の合成樹脂材を一体成形することにより形成され、矩形板を湾曲した形状である合成樹脂材から成っているが、金具により構成してもよい。保持部２０の大きさは集塵部１０よりも小さく、例えば縦１０ｃｍ、横６ｃｍ、高さ１ｃｍ程度である。
【００２０】
保持部２０は集塵部１０の背面に当接する主面部２１と、この主面部２１の両辺から略直角方向に折曲して延在する側面部２２と、この側面部２２から内側方向に向けて、鋸歯状に形成した係止歯部２３を有している。図３に示すように、係止歯部２３は側面部２２の両端から側面部２２毎に２個ずつの計４個が配置されているが、側面部２２に沿って連続してもよいし、側面部２２の中央部に１個のみを配置するようにしてもよい。
【００２１】
更に、保持部２０は図１に示すように、集塵部１０と当接する面の裏面つまり表面側には、集塵部１０の短側面１３に平行になるように配置した２個の補強部２４と、主面部２１の一隅の近傍に設け、側面部２２まで貫通する貫通孔２５とを備えている。この貫通孔２５に紐等を通してリング状にして、非使用時にはこの紐をフック等に引っ掛けて保管することができる。
【００２２】
補強部２４は平面状であった集塵部１０を湾曲状に形成した際に、元の平面状に戻ろうとする復元力に抗して配置するものであり、保持部２０の裏面中央に１個所のみに設けてもよいし、手で保持部２０を掴んだ際に邪魔にならない複数個所に設けるようにしてもよい。また、補強部２４は手の握力により強く把持した際に、主面部２１が屈曲し過ぎて、集塵部１０が保持部２０から外れてしまったり、主面部２１が折れてしまうことを防止するための保形効果も有している。
【００２３】
図４は面清掃具を上方から見た斜視図であり、図５は下方から見た斜視図であり、図６は清掃具の側面の断面図である。集塵部１０は床面と接触する下面の清掃面１１を長手方向の軸に沿って、かまぼこ状の円弧状に膨らませて湾曲させた状態で、集塵部１０の長手方向と平行である左右の長側面１２を保持部２０に挟み込み、図６の断面図に示すように係止歯部２３が長側面１２に噛み込んだ状態で固定している。このように、集塵部１０を保持部２０に固定することで、切込部１４の入口部は拡がって、断面Ｖ字状の溝状となり、清掃面１１に対して切込部１４の両辺には角辺部１５が形成されることになる。
【００２４】
また、短側面１３を含む集塵部１０の長手方向の両端部分は、保持部２０からはみ出すように固定され、このように固定した際に、保持部２０は手の平で掴める程度の大きさの範囲内で適宜の大きさを採用することができる。
【００２５】
この面清掃具を用いて掃除を行うには、図７に示すように集塵部１０の清掃面１１を例えば床面下と接触させて行う。このとき、湾曲する清掃面１１の略半分を床面Ｆに接触させた状態で、集塵部１０を床面に対して矢印方向に摺動することにより、ペットの毛等の塵埃は切込部１４の角辺部１５で引っ掛かり、引っ掛かった塵埃は拡開した溝に嵌り込みながら寄せ集められる。なお、切込部１４の深さが深い程、より多くの塵埃が拡開した溝に嵌り込む。
【００２６】
面清掃具を摺動させることにより１個所に寄せ集められた塵埃は、掃除機等により除去する。図示の矢印の方向で床面Ｆの一方の端から他方の端まで清掃した後は、図７の清掃面１１の接触面Ｓを反対側の半分の面にして、他の角辺部１５を用いて逆方向に他方の端から一方の端まで摺動する。このように塵埃の寄せ集めを繰り返しながら、床面Ｆ全体の掃除を行う。
【００２７】
また、清掃面１１の接触面Ｓの面積に応じて、床面Ｆに対する接触圧を調整することができ、例えば清掃面１１の１／４程度を接触面Ｓとした状態で掃除すると、図７に示す掃除時と同じ力で掃除したとしても床面Ｆに対する接触圧が増大し、塵埃の取りこぼしがなく、多くの塵埃を集塵することができる。
【００２８】
また、凹凸部を有するカーペット等の床面に対しては、角辺部１５が凹部Ｇに入り込み凹部Ｇ内の塵埃を掃き出しながら塵埃を集塵することが可能である。ただし、カーペット、絨毯等の繊維質が存在する床面では、接触圧が強すぎると繊維質まで巻き込んで引き抜いてしてしまうため、適宜に清掃面１１の接触面Ｓの面積と摺動時の力加減を調整しならがら掃除を行う。
【００２９】
また、家具の隙間等の狭い個所等を掃除する場合は、短側面１３の下辺の角部を利用して塵埃を集塵することも可能である。保持部２０からはみ出した短側面１３を含む集塵部１０の両端部分の角部を、床面Ｆに対して長側面１２に沿って摺動することで、狭い個所であっても集塵することができる。
【００３０】
また、集塵部１０の両端部分が保持部２０からはみ出すことで、長側面１２に沿って動かした際に、保持部２０の端部が机等の足に接触し傷付けることもない。
【００３１】
面清掃具の使用後に、汚れた集塵部１０は洗浄することが可能である。集塵部１０の材質は吸水性が低いので、直ちに乾き、再度掃除を始めることができる。
【００３２】
また、集塵部１０の裏面にも、清掃面１１と同様な切込部１４を設けておいて、使用により角辺部１５や切込部１４付近の角辺部１５が摩耗により丸くなったり、切込部１４の切込みが更に亀裂が生じたような場合には、集塵部１０を裏返して保持部２０に固定してもよい。このようにすることで、集塵部１０を長期間使用することが可能となる。
【００３３】
図８は変形例の集塵部１０’の斜視図であり、集塵部１０’は保持部２０の係止歯部２３が噛み込んだ長側面１２に対して斜めに延在する斜側面１６と、斜側面１６を含む略三角形の部分から成る三角形状部分１７とを有する。この集塵部１０’を保持部２０に固定する場合は、三角形状部分１７を除いた個所を保持部２０に固定する。
【００３４】
床面を掃除する際は、先端にゆくにつれて徐々に細くなる三角形状部分１７の下辺に形成した角部を利用することで、部屋の隅角部等の狭い個所に対しても集塵部１０’を摺動させることが可能となる。このように掃除する場所に応じて、集塵部１０’の清掃面１１の使用個所を使い分けることができる。
【００３５】
本実施例においては、集塵部１０、１０’と保持部２０とから成る面清掃具について説明したが、面清掃具は集塵部１０、１０’単体であってもよく、図９に示すように集塵部１０を手で掴んで撓ませて清掃してもよい。
【００３６】
このような場合は、握力により切込み１４をＶ字状の溝に拡開させて角辺部１５を形成し、上述のように塵埃を寄せ集めることができる。
【００３７】
また、本実施例では部屋の中で面清掃具を使用することを例として説明したが、室内以外にも自動車等の車内で使用することもできる。このような場合は、例えば車内のシートの掃除を行ったり、シートの座部と背もたれ部の間の隙間に対して、短側面１３の下辺の角辺部１５や三角形状部分１７を用いて掃除を行うことが可能となる。
【符号の説明】
【００３８】
１０  集塵部
１１  清掃面
１２  長側面
１３  短側面
１４  切込部
１５  角辺部
１７  三角形状部分
２０  保持部
２１  主面部
２２  側面部
２３  係止歯部
２４  補強部
【図１】
2015205140.tif 000003
【図２】
2015205140.tif 000004
【図３】
2015205140.tif 000005
【図４】
2015205140.tif 000006
【図５】
2015205140.tif 000007
【図６】
2015205140.tif 000008
【図７】
2015205140.tif 000009
【図８】
2015205140.tif 000010
【図９】
2015205140.tif 000011